(57)【要約】【課題】簡単な構成により偏光板を精度よく組み付けて固定できる構成の表示装置を提供する。【解決手段】特定の振動方向に偏光された光を発する発光部（第１光源１０、第２光源２０、第１偏光板１５、第２偏光板２５）と、表示マークが形成され、発光部（第１光源１０、第２光源２０）からの光を選択的に透過する表示偏光板（第１表示偏光板３０、第２表示偏光板４０）と、表示偏光板（第１表示偏光板３０、第２表示偏光板４０）が収容される凹部５５を有した第１パネルとしてのロアパネル５０と、ロアパネル５０との間で表示偏光板（第１表示偏光板３０、第２表示偏光板４０）を挟み込む第２パネルとしてのアッパーパネル７０と、ロアパネル５０とアッパーパネル７０との間に配置され、外力が加えられると弾性変形する付勢部材６０と、を有し、アッパーパネル７０は、凹部５５の壁部に表示偏光板（第１表示偏光板３０、第２表示偏光板４０）が押圧されるように付勢部材６０に外力を加える押圧突部７５を備えて表示装置１を構成する。【選択図】図１
2019020643.tif 000002
【特許請求の範囲】
【請求項１】
特定の振動方向に偏光された光を発する発光部と、
表示マークが形成され、前記発光部からの光を選択的に透過する表示偏光板と、
前記表示偏光板が収容される凹部を有した第１パネルと、
前記第１パネルとの間で前記表示偏光板を挟み込む第２パネルと、
前記第１パネルと前記第２パネルとの間に配置され、外力が加えられると弾性変形する付勢部材と、を有し、
前記第２パネルは、前記凹部の壁部に前記表示偏光板が押圧されるように前記付勢部材に外力を加える押圧突部を備えた、表示装置。
【請求項２】
前記凹部は、多角形状であり、
前記付勢部材は、前記付勢部材の少なくとも１つの辺が前記押圧突部により押圧される、請求項１に記載の表示装置。
【請求項３】
前記付勢部材は、ウレタンで形成されている、請求項１又は２に記載の表示装置。
【請求項４】
前記付勢部材は、前記第２パネル側から前記第１パネル側に向かって圧縮されて固定される、請求項１から３のいずれか１項に記載の表示装置。
【発明の詳細な説明】
【技術分野】
【０００１】
本発明は、表示装置に関する。
【背景技術】
【０００２】
従来の技術として、構成部材をハウジングに取付けて固定する構造として、弾性部材を利用する構成が知られている（例えば、特許文献１参照）。電流検出装置におけるバスバーをハウジングに固定する固定構造は、貫通孔状のバスバー収容部が形成され、バスバー収容部にバスバーを挿通させることにより、バスバーに装着されるハウジングと、バスバーに電流が流れることにより発生する磁束を検出する検出素子が実装され、検出素子がバスバーの近傍に配置されるようにハウジングに装着された実装基板とを備え、ハウジングに形成されたバスバー収容部には、バスバーの挿入方向と直交しバスバーの側面と対向する一対の壁部のうちの一方の壁部に弾性押付部が設けられ、弾性押付部は、バスバー収容部に収容されたバスバーを一対の壁部のうちの他方の壁部に向けて押さえ付けるように構成されている。
【０００３】
この固定構造によれば、バスバーをハウジングのバスバー収容部に挿入するだけで、バスバーの側面が一方の壁部から他方の壁部に向けて押さえ付けられる。
【先行技術文献】
【特許文献】
【０００４】
【特許文献１】特開２０１５−２２４８８３号公報
【発明の概要】
【発明が解決しようとする課題】
【０００５】
しかし、特許文献１の固定構造では、剛性の高いバスバーには適用可能であるが、一般的な偏光板は側面が押されると撓む。このため、一方の側面を単純に押し付けて他方の側面を壁部に固定する構成では、偏光板が湾曲してしまうという問題がある。
【０００６】
したがって、本発明の目的は、簡単な構成により偏光板を精度よく組み付けて固定できる構成の表示装置を提供することにある。
【課題を解決するための手段】
【０００７】
［１］上記目的を達成するため、特定の振動方向に偏光された光を発する発光部と、表示マークが形成され、前記発光部からの光を選択的に透過する表示偏光板と、前記表示偏光板が収容される凹部を有した第１パネルと、前記第１パネルとの間で前記表示偏光板を挟み込む第２パネルと、前記第１パネルと前記第２パネルとの間に配置され、外力が加えられると弾性変形する付勢部材と、を有し、前記第２パネルは、前記凹部の壁部に前記表示偏光板が押圧されるように前記付勢部材に外力を加える押圧突部を備えた、表示装置を提供する。
【０００８】
［２］前記凹部は、多角形状であり、前記付勢部材は、前記付勢部材の少なくとも１つの辺が前記押圧突部により押圧される、上記［１］に記載の表示装置であってもよい。
【０００９】
［３］また、前記付勢部材は、ウレタンで形成されている、上記［１］又は［２］に記載の表示装置であってもよい。
【００１０】
［４］また、前記付勢部材は、前記第２パネル側から前記第１パネル側に向かって圧縮されて固定される、上記［１］から［３］のいずれか１に記載の表示装置であってもよい。
【発明の効果】
【００１１】
本発明の表示装置によれば、簡単な構成により偏光板を精度よく組み付けて固定できる構成の表示装置を提供することができる。
【図面の簡単な説明】
【００１２】
【図１】図１（ａ）は、本発明の実施の形態に係る表示装置の断面図であり、図１（ｂ）は、凹部５５及びその周囲の詳細を示す図１（ａ）のＡ方向から見た部分平面図である。
【図２】図２は、図１（ａ）においてＡ方向から第１表示偏光板、第２表示偏光板を見た上平面図（部分上平面図）である。
【図３】図３（ａ）は、第１表示偏光板の平面図であり、図３（ｂ）は、第２表示偏光板の平面図である。
【図４】図４（ａ）は、ロアパネルの凹部に付勢部材をセットした状態を示す断面図であり、図４（ｂ）は、付勢部材の上にアッパーパネルをセットして組み付けを開始する状態を示す断面図であり、図４（ｃ）は、ロアパネルとアッパーパネルで付勢部材を挟み込んで固定した状態を示す断面図である。
【図５】図５（ａ）は、第１光源を発光させた場合に第１表示偏光板の表示マークが表示される状態を示す上平面図であり、図５（ｂ）は、第１光源から照射した光の経路を示す断面図である。
【図６】図６（ａ）は、第２光源を発光させた場合に第２表示偏光板の表示マークが表示される状態を示す上平面図であり、図６（ｂ）は、第２光源から照射した光の経路を示す断面図である。
【発明を実施するための形態】
【００１３】
（本発明の実施の形態）
本発明の実施の形態に係る表示装置１は、特定の振動方向に偏光された光を発する発光部（第１光源１０、第２光源２０、第１偏光板１５、第２偏光板２５）と、表示マークが形成され、発光部（第１光源１０、第２光源２０）からの光を選択的に透過する表示偏光板（第１表示偏光板３０、第２表示偏光板４０）と、表示偏光板（第１表示偏光板３０、第２表示偏光板４０）が収容される凹部５５を有した第１パネルとしてのロアパネル５０と、ロアパネル５０との間で表示偏光板（第１表示偏光板３０、第２表示偏光板４０）を挟み込む第２パネルとしてのアッパーパネル７０と、ロアパネル５０とアッパーパネル７０との間に配置され、外力が加えられると弾性変形する付勢部材６０と、を有し、アッパーパネル７０は、凹部５５の壁部に表示偏光板（第１表示偏光板３０、第２表示偏光板４０）が押圧されるように付勢部材６０に外力を加える押圧突部７５を備えて構成されている。
【００１４】
表示装置１は、押圧突部７５を備えたアッパーパネル７０を備えている。付勢部材６０は、ロアパネル５０とアッパーパネル７０に挟まれて圧縮された状態で固定され、その圧縮時の反発力を利用して、凹部５５の壁部５５ａに表示偏光板（第１表示偏光板３０、第２表示偏光板４０）を押圧するように構成されている。
【００１５】
図１（ａ）を参照しながら、本実施の形態に係る表示装置１の概略構成を説明する。表示装置１は、図１（ａ）に示すように、ロアパネル５０の上側には、表示マークが形成され、発光部（第１光源１０、第２光源２０）からの光を選択的に透過する表示偏光板（第１表示偏光板３０、第２表示偏光板４０）が重ねて取り付けられている。また、ロアパネル５０の下側には、発光部（第１光源１０、第２光源２０）からの光を互いに直交する偏光方向の光にするための第１偏光板１５、第２偏光板２５が並べて取り付けられている。
【００１６】
ロアパネル５０の下側に配置されるボデーユニット８０には、第１光源１０、第２光源２０が配置されている。ボデーユニット８０は、ボデー本体８１に基板８２が取り付けられ、基板８２にはスイッチ接点（図示省略）が設けられている。また、ボデー本体８１には、このスイッチ接点のオンオフ動作を可能とする導電部（図示省略）を備えたラバーコンタクト８３が設けられている。
【００１７】
表示装置１は、第１光源１０を発光することにより、第１偏光板１５を透過した光が表示偏光板（第１表示偏光板３０、第２表示偏光板４０）で選択的に透過して、第１表示マークを表示する。また、表示装置１は、第２光源２０を発光することにより、第２偏光板２５を透過した光が表示偏光板（第１表示偏光板３０、第２表示偏光板４０）で選択的に透過して、第２表示マークを切り替え表示する。
【００１８】
以下に、図１から図３を参照しながら各構成要素を説明する。
【００１９】
（発光部、第１光源１０）
第１光源１０は、例えば、ＬＥＤ光源、レーザ光源等が使用できる。例えば、レーザ光源の場合は特定の方向に偏光成分を有するように偏光方向を調整し、また、ＬＥＤ光源等では特定の方向に偏光成分を有するように出射部に偏光素子を配置する。本実施の形態では、第１光源１０としてＬＥＤ光源を使用し、出射部に第１偏光板１５を配置して発光部を構成する。
【００２０】
第１光源１０は、ロアパネル５０に取り付けられた第１偏光板１５を通過して、図３（ｂ）に示す第１偏光方向１９に偏光方向を有する光を出射する。第１光源１０から第１偏光板１５を通過して出射される光は、第１表示偏光板３０及び第２表示偏光板４０のそれぞれの偏光領域又は非偏光領域を選択的に透過する。
【００２１】
（第１偏光板１５）
第１偏光板１５は、略矩形の偏光機能を備えて板状に形成されている。第１偏光板１５は、本実施の形態では、略矩形としている。
【００２２】
第１偏光板１５は、図３（ｂ）に示す第１偏光方向１９の光を通過させ、他の偏光方向の光を反射又は吸収する。したがって、第１偏光板１５を通った第１光源１０の光は、第１偏光方向１９の偏光成分をもつ直線偏光の光となる。
【００２３】
（発光部、第２光源２０）
第２光源２０は、例えば、ＬＥＤ光源、レーザ光源等が使用できる。例えば、レーザ光源の場合は特定の方向に偏光成分を有するように偏光方向を調整し、また、ＬＥＤ光源等では特定の方向に偏光成分を有するように出射部に偏光素子を配置する。本実施の形態では、第２光源２０としてＬＥＤ光源を使用し、出射部に第２偏光板２５を配置して発光部を構成する。
【００２４】
第２光源２０は、ロアパネル５０に取り付けられた第２偏光板２５を通過して、図３（ａ）に示す第２偏光方向２９に偏光方向を有する光を出射する。第２光源２０から第２偏光板２５を通過して出射される光は、第１表示偏光板３０及び第２表示偏光板４０のそれぞれの偏光領域又は非偏光領域を選択的に透過する。
【００２５】
（第２偏光板２５）
第２偏光板２５は、略矩形の偏光機能を備えて板状に形成されている。第２偏光板２５は、本実施の形態では、略矩形としている。
【００２６】
第２偏光板２５は、図３（ａ）に示す第２偏光方向２９の光を通過させ、他の偏光方向の光を反射又は吸収する。したがって、第２偏光板２５を通った第２光源２０の光は、第２偏光方向２９の偏光成分をもつ直線偏光の光となる。
【００２７】
第１偏光板１５及び第２偏光板２５は、第１偏光方向１９と第２偏光方向２９が直交した位置関係で、ボデーユニット８０に組み付けられている。
【００２８】
（表示偏光板、第１表示偏光板３０）
第１表示偏光板３０は、図２に示すように、偏光機能を備えて板状に形成され、提示フィルタとして機能する。第１表示偏光板３０は、多角形状であればよいが、本実施の形態では、矩形としている。この第１表示偏光板３０は、例えば、偏光機能を有する偏光層の上下をそれぞれ保護する保護フイルムで挟んだ偏光板である。
【００２９】
第１表示偏光板３０は、図３（ａ）に示すように、第１偏光方向１９に偏光された直線偏光の光を透過させず第２偏光方向２９に偏光された直線偏光の光を透過させる偏光領域３１と、偏光状態によらずに光を透過させる非偏光領域３２の領域を有して構成されている。したがって、第１表示偏光板３０は、発光部（第１光源１０、第２光源２０）からの光を選択的に透過して提示フィルタとして機能する。この偏光領域３１と非偏光領域３２の形状は、例えば、図３（ａ）に示すように、非偏光領域３２が丸形状に形成された表示マークとして形成され、種々のマーク、文字、図形等とすることができる。なお、後述する第２表示偏光板４０に形成された表示マークとは少なくとも一部が重複するように配置される。
【００３０】
第１表示偏光板３０の一端側の基準端面３３は、第１偏光方向１９に対して所定の角度、本実施の形態では第１偏光方向１９と平行に形成されている。この基準端面３３は、ロアパネル５０の凹部５５に形成された壁部５５ａに当接する端面である。基準端面３３の反対側には、押圧端面３４が形成されている。この押圧端面３４は変形した付勢部材６０により押圧される端面である。
【００３１】
（表示偏光板、第２表示偏光板４０）
第２表示偏光板４０は、図２に示すように、偏光機能を備えて板状に形成され、提示フィルタとして機能する。第２表示偏光板４０は、多角形状であればよいが、本実施の形態では、矩形としている。この第２表示偏光板４０は、例えば、偏光機能を有する偏光層の上下をそれぞれ保護する保護フイルムで挟んだ偏光板である。
【００３２】
第２表示偏光板４０は、図３（ｂ）に示すように、第１偏光方向１９に偏光された直線偏光の光を透過させ第２偏光方向２９に偏光された直線偏光の光を透過させない偏光領域４１と、偏光状態によらずに光を透過させる非偏光領域４２の領域を有して構成されている。したがって、第２表示偏光板４０は、発光部（第１光源１０、第２光源２０）からの光を選択的に透過して提示フィルタとして機能する。この偏光領域４１と非偏光領域４２の形状は、例えば、図３（ｂ）に示すように、非偏光領域３２が×形状に形成された表示マークとして形成され、種々のマーク、文字、図形等とすることができる。なお、前述した第１表示偏光板３０に形成された表示マークとは少なくとも一部が重複するように配置される。
【００３３】
第２表示偏光板４０の一端側の基準端面４３は、第２偏光方向２９に対して所定の角度、本実施の形態では第２偏光方向２９と直角に形成されている。この基準端面４３は、ロアパネル５０の凹部５５に形成された壁部５５ａに当接する端面である。基準端面４３の反対側には、押圧端面４４が形成されている。この押圧端面４４は変形した付勢部材６０により押圧される端面である。
【００３４】
（ロアパネル５０、凹部５５）
図１（ａ）に示すように、第１パネルとしてのロアパネル５０は、第１偏光板１５、第２偏光板２５、第１表示偏光板３０、第２表示偏光板４０を所定の位置角度で収容し、アッパーパネル７０、ボデーユニット８０と一体に組み立てられて表示装置１を構成する。ロアパネル５０は、各偏光板が配置され、第１光源１０、第２光源２０からの光１０Ｌ、２０Ｌが通るように空洞部５１が形成された枠体として形成されている。ロアパネル５０は、例えば、樹脂等により形成される。
【００３５】
図１（ａ）、図２に示すように、ロアパネル５０の上側には、第１表示偏光板３０、第２表示偏光板４０が重ねて収容される凹部５５が形成されている。この凹部５５には、第１表示偏光板３０の基準端面３３及び第２表示偏光板４０の基準端面４３が当接する壁部５５ａが形成されている。凹部５５は、上記示した基準端面３３及び基準端面４３が壁部５５ａに確実に当接できるように、第１表示偏光板３０及び第２表示偏光板４０の外径寸法よりも若干大きく形成されている。
【００３６】
凹部５５は、第１表示偏光板３０及び第２表示偏光板４０の外形状に合わせて多角形状であり、本実施の形態では、矩形としている。
【００３７】
図１（ｂ）に、凹部５５及びその周囲の詳細を示す図１（ａ）のＡ方向から見た上平面図を示す。図１（ｂ）に示すように、凹部５５は、第１表示偏光板３０及び第２表示偏光板４０が収容される窪みであり、第１表示偏光板３０又は第２表示偏光板４０が当接する底面５５ｂが形成されている。凹部５５の周囲には、図１（ａ）で示すように、底面５５ｂから１段上がったところに段部５３が形成されている。この段部５３は、付勢部材６０が収容される領域である。段部５３からさらに１段上がったところがロアパネル５０の上面５０ａである。
【００３８】
図１（ｂ）に示すように、アッパーパネル７０の押圧突部７５が押圧する領域の底面５５ｃは、底面５５ｂと面一ではあるが、壁部５５ａ側の幅よりも狭い幅に形成されている。底面５５ｃの両側には、段部５３と面一の領域５３ａが形成されている。なお、底面５５ｃから領域５３ａの間は、斜面５５ｄで繋がれている。
【００３９】
（付勢部材６０）
付勢部材６０は、図１（ａ）、図２に示すように、第１表示偏光板３０及び第２表示偏光板４０の上においてロアパネル５０の段部５３に収容され、ロアパネル５０とアッパーパネル７０の間に挟まれて固定される。付勢部材６０は、図２で示す段部５３より若干小さな板形状であって、ウレタン、ゴム等の弾性材料で形成される。本実施の形態では、ウレタン製の付勢部材を使用する。
【００４０】
（アッパーパネル７０）
図１（ａ）に示すように、第２パネルとしてのアッパーパネル７０は、ロアパネル５０に向かって突出する押圧突部７５を備え、付勢部材６０を介して第１表示偏光板３０及び第２表示偏光板４０をロアパネル５０との間に挟み込んで固定し、ロアパネル５０、ボデーユニット８０と一体に組み立てられて表示装置１を構成する。
【００４１】
押圧突部７５は、図１（ｂ）、図４（ｂ）に示すように、例えば、横幅を有する棒状の突起部である。その先端は、種々の形状をとることができるが、例えば、図４（ｂ）に示すように、先端部７５ａが平面あるいは曲面を有し、周面７５ｂとの間はｒ面取りされている。
【００４２】
図１（ａ）に示すように、付勢部材６０がロアパネル５０とアッパーパネル７０に挟まれて固定された状態では、押圧突部７５により付勢部材６０が弾性限度内で撓む。図１（ａ）に示すように、押圧突部７５による付勢部材６０の変形は、第１表示偏光板３０及び第２表示偏光板４０に対して壁部５５ａへ向かって作用する押付力Ｆを発生する。この押付力Ｆは、第１表示偏光板３０の押圧端面３４、第２表示偏光板４０の押圧端面４４に作用する。これにより、第１表示偏光板３０及び第２表示偏光板４０は、それぞれの基準端面３３、基準端面４３がロアパネル５０の凹部５５に形成された壁部５５ａに当接して位置（回転位置）が決まることになる。
【００４３】
（第１表示偏光板３０及び第２表示偏光板４０のロアパネル５０への組み付け）
第１表示偏光板３０及び第２表示偏光板４０のロアパネル５０への組み付けは、まず、図４（ａ）に示すように、ロアパネル５０の凹部５５に、第１表示偏光板３０及び第２表示偏光板４０を底面５５ｂ上に重ねてセットする。その上から、付勢部材６０を段部５３にセットする。このとき、付勢部材６０は圧縮されていないので、その厚さはｔである。
【００４４】
次に、図４（ｂ）に示すように、付勢部材６０の上に、アッパーパネル７０をセットする。
【００４５】
次に、図４（ｃ）に示すように、アッパーパネル７０をロアパネル５０に向かって押え付けて固定する。ロアパネル５０とアッパーパネル７０の固定は、図示省略するスナップフィット、ねじ、カシメ等、種々の方法により可能である。
【００４６】
図４（ｃ）に示すように、付勢部材６０の下面６０ａは、段部５３と当接している。また、付勢部材６０の下面６０ａは、領域５３ａと当接している。したがって、図４（ｃ）に示すように、アッパーパネル７０をロアパネル５０に向かって押え付けて固定した状態では、押圧突部７５の先端部７５ａは、底面５５ｃの領域にある。付勢部材６０は、先端部７５ａの周囲の下面６０ａが領域５３ａと当接した状態で、図４（ｃ）に示すように、先端部７５ａの形状にしたがって変形する。
【００４７】
第１表示偏光板３０及び第２表示偏光板４０は、付勢部材６０（ウレタン）の弾性力により発生する押付力Ｆにより、基準端面３３、基準端面４３がロアパネル５０の凹部５５に形成された壁部５５ａに当接して位置（回転位置）が決まった状態で、ロアパネル５０の底面５５ｂに押えられて固定される。この状態では、図４（ｃ）に示すように、付勢部材６０は圧縮されて厚さはｔ１（＜ｔ）となるので、第１表示偏光板３０及び第２表示偏光板４０は、位置（回転位置）が決まった状態で確実に固定される。
【００４８】
第１表示偏光板３０及び第２表示偏光板４０が組み付けられた状態では、図２に示すように、図３（ａ）、（ｂ）で示した第１表示偏光板３０の非偏光領域３２（表示マーク）と第２表示偏光板４０の非偏光領域４２（表示マーク）は、少なくとも一部が重複するように配置されている。また、第１偏光方向１９と第２偏光方向２９が直交した位置関係で、第１表示偏光板３０と第２表示偏光板４０が組み付けられている。
【００４９】
（第１表示偏光板３０に形成された表示マークの表示動作）
第１光源１０を発光させると、図５（ｂ）に示すように、第１光源１０から第１偏光板１５を通して第１偏光方向１９に偏光方向を有する光１０Ｌが出射する。この光は、第１表示偏光板３０及び第２表示偏光板４０に照射される。この光１０Ｌは、第１偏光方向１９に偏光方向を有するので、第１表示偏光板３０の非偏光領域３２及び第２表示偏光板４０の全領域を透過する。したがって、図５（ａ）で示す非偏光領域３２の表示マーク（○印）が表示される。非偏光領域３２以外の領域は光１０Ｌが透過せず、したがって表示されない。
【００５０】
（第２表示偏光板４０に形成された表示マークの表示動作）
第２光源２０を発光させると、図６（ｂ）に示すように、第２光源２０から第２偏光板２５を通して第２偏光方向２９に偏光方向を有する光２０Ｌが出射する。この光は、第１表示偏光板３０及び第２表示偏光板４０に照射される。この光２０Ｌは、第２偏光方向２９に偏光方向を有するので、第２表示偏光板４０の非偏光領域４２及び第１表示偏光板３０の全領域を透過する。したがって、図６（ａ）で示す非偏光領域４２の表示マーク（×印）が表示される。非偏光領域４２以外の領域は光２０Ｌが透過せず、したがって表示されない。
【００５１】
（実施の形態の効果）
本発明の実施の形態によれば、以下のような効果を有する。
（１）本実施の形態に係る表示装置１は、特定の偏光方向の光を発する発光部（第１光源１０、第２光源２０）と、表示マークが形成され、発光部（第１光源１０、第２光源２０）からの光を選択的に透過する表示偏光板（第１表示偏光板３０、第２表示偏光板４０）と、表示偏光板（第１表示偏光板３０、第２表示偏光板４０）が収容される凹部５５が形成された第１パネルとしてのロアパネル５０と、ロアパネル５０との間で表示偏光板（第１表示偏光板３０、第２表示偏光板４０）を挟み込む第２パネルとしてのアッパーパネル７０と、ロアパネル５０とアッパーパネル７０との間に配置され、外力が加えられると弾性変形し、表示偏光板（第１表示偏光板３０、第２表示偏光板４０）を押圧する付勢部材６０と、を有し、アッパーパネル７０は、凹部５５の壁部に表示偏光板（第１表示偏光板３０、第２表示偏光板４０）が押圧されるように付勢部材６０に外力を加える押圧突部７５を備えて構成されている。これにより、第１表示偏光板３０及び第２表示偏光板４０は、付勢部材６０（ウレタン）の弾性力により発生する押付力Ｆにより、基準端面３３、基準端面４３がロアパネル５０の凹部５５に形成された壁部５５ａに当接して位置（回転位置）が決まった状態で、固定される。よって、簡単な構成により偏光板を精度よく組み付けて固定できる構成の表示装置を提供することができる。
（２）第１表示偏光板３０及び第２表示偏光板４０のロアパネル５０への組み付け時において、アッパーパネル７０には、押圧突部７５が形成されており、アッパーパネル７０をかぶせると、突起によりウレタンの付勢部材６０は変形・圧縮される。その反発力を利用し、偏光板の基準端面に力をかけ、ロアパネル５０に設定された位置決めに押し当てる。これにより、人の気づかい作業なくして、偏光板は常に位置決めに押しあてられた状態となる。また、押圧突部７５により付勢部材６０を押圧するので、位置が安定しやすい。
（３）また、上記のように、第１表示偏光板３０及び第２表示偏光板４０を精度よく組み付けることができるので、各部品の要求精度が緩和される。これにより、工程管理の低減、コストダウン等が可能となる。
【００５２】
以上、本発明のいくつかの実施の形態を説明したが、これらの実施の形態は、一例に過ぎず、特許請求の範囲に係る発明を限定するものではない。また、これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００５３】
１…表示装置、１０…第１光源、１０Ｌ…光、１５…第１偏光板、１６…基準端面、１７…押圧端面、１９…第１偏光方向、２０…第２光源、２０Ｌ…光、２５…第２偏光板、２６…基準端面、２７…押圧端面、２９…第２偏光方向、３０…第１表示偏光板、３１…偏光領域、３２…非偏光領域、３３…基準端面、３４…押圧端面、４０…第２表示偏光板、４１…偏光領域、４２…非偏光領域、４３…基準端面、４４…押圧端面、５０…ロアパネル、５１…空洞部、５２…開口部、５３…段部、５３ａ…領域、５５…凹部、５５ａ…壁部、５５ｂ…底面、５５ｃ…底面、５５ｄ…斜面、５８ａ、５８ｂ…収容部、５９ａ、５９ｂ…壁部、６０…付勢部材、６０ａ…下面、７０…アッパーパネル、７５…押圧突部、７５ａ…先端部、７５ｂ…周面、８０…ボデーユニット、８１…ボデー本体、８２…基板、８３…ラバーコンタクト、８３ａ、８３ｂ…傾斜面
【図１】
2019020643.tif 000003
【図２】
2019020643.tif 000004
【図３】
2019020643.tif 000005
【図４】
2019020643.tif 000006
【図５】
2019020643.tif 000007
【図６】
2019020643.tif 000008